(57)【特許請求の範囲】
【請求項１】
記録媒体面上に記録されたバーコードに読取り窓を向けて光源から光を照射し、その反射光を光電素子で走査読み取りをするバーコードリーダーにおいて、該バーコードリーダーが動かされた速度を検出する検出回路と、該検出回路から出力された速度の値と予め設定された値とを比較し、設定値未満であると前記光源を点灯し、設定値以上であると前記光源を消灯する制御回路とを有することを特徴とするバーコードリーダー。
【請求項２】
前記制御回路がタイマーを有し、該タイマーは前記検出回路から出力された速度の値が予め設定された値未満である経過時間を計測し、該経過時間と予め制御回路に設定された時間を比較し、経過時間が設定時間以上となったときに電源を落とすことを特徴とする請求項１に記載のバーコードリーダー。
【請求項３】
記録媒体面上に記録されたバーコードに読取り窓を向けて光源から光を照射し、その反射光を光電素子で走査読み取りをするバーコードリーダーにおいて、環境光による該バーコードの自然反射光を電気信号波形として出力する反射光受光回路と、該電気信号波形とバーコードの存在を示す波形とを比較し、該電気信号波形がバーコードの波形であると前記光源を点灯し、バーコードの波形でないと前記光源の消灯を維持する制御回路とを有することを特徴とするバーコードリーダー。
【請求項４】
少なくとも前記読取り窓の周囲の部材が、透明な材料からなることを特徴とする請求項３に記載のバーコードリーダー。
【発明の詳細な説明】
【０００１】
【産業上の利用分野】
本発明は、記録媒体面上のバーコードを読み取るバーコードリーダーに関するものである。
【０００２】
【従来の技術】
商品の分類など各種の情報データをバーコード化して商品に付しておき、在庫管理のときなどに読み取ってコンピューターに入力させる方式が知られている。
【０００３】
バーコードを読み取る装置としてはバーコードリーダーが使用されており、その使用方法や使用条件に応じて様々な種類のものがある。バーコードリーダーは一般的にコンピューターなどのデータ処理装置に接続して使用される。
【０００４】
バーコードリーダーの一種類として携帯型のものがある。携帯型のバーコードリーダーはコンピューターなどに接続されずに使用され、読み取ったデータはバーコードリーダー内の記憶回路に一時記憶され、後からコンピューターなどに接続してまとめて送られる。
【０００５】
携帯型のバーコードリーダーは、広い場所で使用する場合には使用者が自由に移動することができ便利であるが、電源として充電用の電池を使用しているため、使用者はたびたび充電のために充電可能な場所に行かねばならず、その間作業が中断してしまう。また電池が切れた場合には、記憶されたデータが消去してしまう恐れもあった。
【０００６】
携帯型のバーコードリーダーにおいて、多くの電力を消費する部品はバーコード照射用の光源である。このためバーコードリーダーには、一回の充電でより長く使用するために、バーコードを読み取るときだけ前記光源を点灯させるトリガスイッチが設けられている。
【０００７】
【発明が解決しようとする課題】
しかしながら、長時間連続してバーコードの読み取り作業を行う場合には、読み取る度にトリガスイッチを操作するのは非常に煩雑であり、トリガスイッチを操作する必要がなく、バーコードを読み取るときだけバーコード照射用の光源を点灯させるバーコードリーダーが望まれていた。
【０００８】
本発明は前記の課題を解決するためなされたもので、バーコードを読み取るときだけバーコード照射用の光源を点灯させることができ、電力消費量が少ないバーコードリーダーを提供することを目的とする。
【０００９】
【課題を解決するための手段】
前記の目的を達成するためになされた本発明のバーコードリーダー１０は、図１に示すように、記録媒体面上に記録されたバーコード２５に読取り窓１を向けて光源２から光９を照射し、その反射光を光電素子で走査読み取りをするバーコードリーダー１０において、バーコードリーダー１０が動かされた速度を検出する検出回路７と、検出回路７から出力された速度の値と予め設定された値とを比較し、設定値未満であると光源２を点灯し、設定値以上であると光源２を消灯する制御回路６とを有する。好ましくは、制御回路６はタイマー８を有し、検出回路７から出力された速度の値と予め設定された第２の値を比較し、設定値未満であれば時間の計測を開始する。この経過時間の計測は、検出回路７から出力される速度の値が予め設定された第２の値未満である間継続され、経過時間が予め制御回路６に設定された時間以上となったときに電源（不図示）をオフにする。
【００１０】
前記の目的を達成するためになされた本発明のバーコードリーダー２０は、図２に示すように、記録媒体面上に記録されたバーコード２５に読取り窓１１を向けて光源１２から光を照射し、その反射光を光電素子で走査読み取りをするバーコードリーダー２０であって、バーコード２５の環境光による自然反射光を電気信号波形として出力する反射光受光回路１７と、該電気信号波形とバーコード２５の存在を示す波形とを比較し、該電気信号波形がバーコード２５の波形であるとみなした場合に光源１２を点灯し、バーコード２５の波形であるとみなせない場合に光源１２を消灯を維持する制御回路１６とを有する。環境光による自然反射光から比較のための電気信号波形を得る場合、読取り窓１１の周囲の部材２１は、透明な材料からなることが好ましい。
【００１１】
【作用】
本発明のバーコードリーダー１０（図１参照）は、移動しているときは動きが大きいため検出回路７から出力される速度の値は、制御回路６に予め設定された値以上となるので光源２は消灯したままである。またバーコードリーダー１０は、読み取りのためにバーコード２５に被せるとほぼ静止状態となるため、検出回路７から出力される速度の値は、制御回路６に予め設定された値未満となるので光源２は点灯する。
【００１２】
本発明のバーコードリーダー２０（図２参照）は、読み取りを行わないときにはバーコード２５から離れているため、反射光受光回路１７から出力されるバーコード２５の環境光による自然反射光のピーク回数は、制御回路１６に予め設定されたピーク回数未満であるので光源１２は消灯したままである。バーコードリーダー２０は、読み取りのためにバーコード２５に接近させると、徐々にピーク回数は増加して、制御回路１６に予め設定されたピーク回数以上となるので光源１２は点灯する。
【００１３】
また、バーコードリーダー２０でバーコード２５を読み取る際に、バーコード２５の置かれた環境が十分に明るくないためピーク回数を計測するのに十分な自然反射光が得られない場合には、バーコードリーダー２０における少なくとも読取り窓１１の周囲の部材２１を、透明な材料にすることにより十分な自然反射光を得ることができる。より暗い場合には、光源２を点滅させて反射光を得てもよい。
【００１４】
【実施例】
以下、本発明の実施例を詳細に説明する。
【００１５】
図１は、本発明を適用するバーコードリーダー１０の実施例を示すブロック図である。同図に示すようにバーコードリーダー１０は、読取り窓１をバーコード２５に被せた際に読取り光９を照射可能な位置に光源２が配設されており、その反射光を走査読み取り可能な位置に光電素子からなるバーコード読取回路３が配設されている。バーコード読取回路３は不図示の記憶回路に接続されている。
【００１６】
光源２は、電源５のオン、オフを行うスイッチ回路４に接続され、スイッチ回路４は電源５およびスイッチ回路４を制御する制御回路６に接続されている。制御回路６は、角速度検出回路７、タイマー８およびバーコード読取回路３に接続されている。角速度検出回路７は、ジャイロ、画像認識による角速度検出機構、水平傾き検出などによる角度検出機構から構成され、バーコードリーダー１０の角速度を、例えば１０ミリ秒単位で検出し制御回路６に出力する。
【００１７】
尚、バーコード読取回路３、スイッチ回路４、制御回路６、角速度検出回路７、タイマー８および記憶回路（不図示）は、システム全体に電力を供給する不図示の電源に接続されている。
【００１８】
制御回路６は、スイッチ回路４をオフからオンにする角速度の値（光源点灯値）、タイマー８で経過時間の計測を開始する角速度の値（電源オフ値）、および不図示の電源をオフにする時間（電源オフ時間）とが予め設定されている。制御回路６は、バーコードリーダー１０の角速度が光源点灯値以上であるとスイッチ回路４をオフにし、角速度が光源点灯値未満であるとスイッチ回路４をオンにし、角速度が電源オフ値以下であるとタイマー８により経過時間を計測し、経過時間が電源オフ時間以上となったときに不図示の電源をオフにするようになっている。
【００１９】
バーコードリーダー１０は以下のように動作する。
【００２０】
バーコードリーダー１０をバーコード２５に近づけて行く間、角速度が光源点灯値以上であるのでスイッチ回路４はオフのままであり、光源２は消灯している。  バーコードリーダー１０の読取り窓１をバーコード２５に被せると、角速度が光源点灯値未満となり、スイッチ回路４がオンになって光源２が点灯しバーコード２５に読取り光９を照射する。その反射光をバーコード読取回路３が走査読み取りをして、バーコード信号を記憶回路に出力する。
【００２１】
読み取り終了後、バーコードリーダー１０をバーコード２５から離すと、角速度が光源点灯値以上となり、スイッチ回路４がオフになって光源２が消灯する。当然、読み取り終了後、スイッチ回路４をオフにして光源２を消灯する構成にしてもよい。
【００２２】
読み取り作業を中止するなどでバーコードリーダー１０を放置または保管場所に収納すると、静止状態となるため角速度は電源オフ値以下となり、タイマー８が経過時間の計測を開始し、この経過時間が電源オフ時間以上となったときに不図示の電源がオフになる。
【００２３】
図２は、本発明を適用するバーコードリーダー２０の実施例を示すブロック図である。同図に示すようにバーコードリーダー２０は、読取り窓１１をバーコード２５に被せた際に読取り光１９を照射可能な位置に光源１２が配設されており、その反射光を走査読み取り可能な位置に光電素子からなるバーコード読取回路１３が配設されている。バーコード読取回路１３は不図示の記憶回路に接続されている。読取り窓１１の周囲は透明カバー２１で覆われている。
【００２４】
光源１２は、電源１５のオン、オフを行うスイッチ回路１４に接続され、スイッチ回路１４は電源１５およびスイッチ回路１４を制御する制御回路１６に接続されている。反射光受光回路１７は、透明カバー２１を通してバーコード２５に照射し反射した自然反射光を感知してそのアナログ波形を出力し、アナログ波形をデジタル波形に変換するアナログ−デジタル変換回路１８に接続されている。アナログ−デジタル変換回路１８およびバーコード読取回路１３は、制御回路１６に接続されている。
【００２５】
制御回路１６は、スイッチ回路４をオンにする一走査時間におけるデジタル波形のピーク回数の値（光源点灯値）が予め設定されており、アナログ−デジタル変換回路１８から送られたデジタル信号のピーク回数が、光源点灯値以上であるとスイッチ回路１４をオンにし、光源点灯値を下回るとスイッチ回路１４をオフにするようになっている。
【００２６】
尚、バーコード読取回路１３、スイッチ回路１４、制御回路１６、反射光受光回路１７、アナログ−デジタル変換回路１８および記憶回路（不図示）は、システム全体に電力を供給する不図示の電源に接続されている。
【００２７】
バーコードリーダー２０は以下のように動作する。
【００２８】
バーコードリーダー２０の読取り窓１をバーコード２５に接近させると、反射光受光回路１７が受光する環境光による自然反射光のピーク回数が増え、光源点灯値以上となったときにスイッチ回路４がオンになって光源１２が点灯しバーコード２５に読取り光１９を照射する。この読取り光１９の反射光をバーコード読取回路１３が走査読み取りをして、バーコード信号を記憶回路に出力する。
【００２９】
読み取り終了後、バーコードリーダー１０をバーコード２５から離して遠ざけると、反射光受光回路１７が受光する自然反射光のピーク回数が減少し、光源点灯値を下回ったときにスイッチ回路４がオフになって光源２が消灯する。
【００３０】
【発明の効果】
以上、詳細に説明したように本発明のバーコードリーダーは、バーコードを読み取るときだけバーコード照射用の光源を自動的に点灯させることができ、電力消費量が少ない。このためバーコードを読み取る度に光源を点灯させるスイッチを操作する必要がないのでバーコード読み取り作業の効率が良く、電池の充電を行う回数が少ないので作業をたびだび中断しなくてすむ。
【図面の簡単な説明】
【図１】本発明を適用するバーコードリーダーの実施例を示すブロック図である。
【図２】本発明を適用するバーコードリーダーの別の実施例を示すブロック図である。
【符号の説明】
１・１１は読取り窓、２・１２は光源、３・１３はバーコード読取回路、４・１４はスイッチ回路、５・１５は電源、６・１６は制御回路、７は角速度検出回路、８はタイマー、９・１９は読取り光、１０・２０はバーコードリーダー、１７は反射光受光回路、１８はアナログ−デジタル変換回路、２１は透明カバー、２５はバーコードである。
【図１】
0003723595.tif 000002
【図２】
0003723595.tif 000003